(57)【要約】【課題】作業性を向上させることができる分電盤のハウジングを提供する。【解決手段】分電盤のハウジング１１は、有底筒状のハウジングベース１２及び該ハウジングベース１２の開口部を塞ぐハウジングカバー１３で構成される収容空間内に、ブレーカ５２，５３を収容可能に構成される。ハウジングカバー１３の前面３１ｃには、カバー１３に対してヒンジ部３５を介して回動可能に取り付けられるドア１４が設けられる。ドア１４は、前記ヒンジ部３５によってハウジングカバー１３の前面３１ｃ側から着脱可能に構成される。【選択図】図２
2015201975.tif 000002
【特許請求の範囲】
【請求項１】
有底筒状のハウジングベースと該ハウジングベースの開口部を塞ぐカバーとを有して形成される収容空間内に、ブレーカを収容可能な筐体と、
前記カバーの前面を覆うとともに前記カバーに対して回動可能に取り付けられるドアと、
を有する分電盤のハウジングであって、
前記ドアは、前記カバーの前面側から着脱可能に構成されることを特徴とする分電盤。
【請求項２】
請求項１に記載の分電盤のハウジングにおいて、
前記カバーの前面には、前記カバーの回動中心の回動ピンを視認不能とする被覆部と、前記回動ピンの抜け止めを行う抜け止め部とが着脱可能に設けられることを特徴とする分電盤のハウジング。
【請求項３】
請求項２に記載の分電盤のハウジングにおいて、
前記被覆部と前記抜け止め部は一体形成されることを特徴とする分電盤のハウジング。
【請求項４】
請求項１〜３のいずれか一項に記載の分電盤のハウジングと、前記分電盤のハウジングに収容されるブレーカとを備えたことを特徴とする分電盤。
【発明の詳細な説明】
【技術分野】
【０００１】
本発明は、内部にブレーカを収容する分電盤のハウジングと、ハウジングを備えた分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１参照）。
【０００３】
このような分電盤のハウジングは、有底筒状のハウジングベースと、前記ハウジングベースの開口部を塞ぐカバーとを有する。ハウジングベースとカバーとで形成された収容空間内に前記内部機器が収容される。また、カバーには前記主幹ブレーカのハンドル（操作部）や分岐ブレーカのハンドルが露出させるための窓部が形成されて、ハンドルが操作可能となっている。
【０００４】
また、上記のような分電盤は、前記カバーの前面にドアが開閉可能取り付けられる。これによって、操作の必要の有無に応じて、主幹ブレーカのハンドルや分岐ブレーカのハンドルを隠したり露出させたりできる。
【先行技術文献】
【特許文献】
【０００５】
【特許文献１】特開２００９−２６８２５２号公報
【発明の概要】
【発明が解決しようとする課題】
【０００６】
ところで、上記のような分電盤は、カバーの前面に開閉可能なドアが設けられることで操作の必要の有無に応じて、主幹ブレーカのハンドルや分岐ブレーカのハンドルを隠したり露出させたりできる。しかしながら、カバーに対するドアの取り付け時における作業性については言及されておらず、この点において改善の余地が残されている。
【０００７】
本発明は、上記課題を解決するためになされたものであって、その目的は、作業性を向上させることができる分電盤のハウジング及び分電盤を提供することにある。
【課題を解決するための手段】
【０００８】
上記課題を解決するために、分電盤のハウジングは、有底筒状のハウジングベースと該ハウジングベースの開口部を塞ぐカバーとを有して形成される収容空間内に、ブレーカを収容可能な筐体と、前記カバーの前面を覆うとともに前記カバーに対して回動可能に取り付けられるドアと、を有する分電盤のハウジングであって、前記ドアは、前記カバーの前面側から着脱可能に構成されることを特徴とする。
【０００９】
また上記構成において、前記カバーの前面には、前記蓋部の回動中心の回動ピンを視認不能とする被覆部と、前記回動ピンの抜け止めを行う抜け止め部とが着脱可能に設けられることが好ましい。
【００１０】
また上記構成において、前記被覆部と前記抜け止め部は一体形成されることが好ましい。
また上記課題を解決するために、分電盤は、上記いずれかの構成の分電盤のハウジングと、前記分電盤のハウジングに収容されるブレーカとを備えたことを特徴とする。
【発明の効果】
【００１１】
本発明の分電盤のハウジング及び分電盤によれば、作業性を向上させることができる。
【図面の簡単な説明】
【００１２】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの平面図である。
【図７】同上におけるハウジングカバーの平面図である。
【図８】同上におけるハウジングカバーとドアとを取り付ける際の取り付け構造について説明するためのハウジングカバーの斜視図である。
【図９】同上におけるハウジングカバーとドアとを取り付ける際の取り付け構造について説明するためのハウジングカバーの斜視図である。
【図１０】（ａ）は同上におけるハウジングカバーとドアとを取り付ける際の取り付け構造について説明するためのハウジングカバーの断面図であり、（ｂ）は（ａ）の１０Ａで示す位置における断面図である。
【図１１】同上におけるハウジングカバーとドアとを取り付ける際の取り付け構造について説明するためのドアの斜視図である。
【発明を実施するための形態】
【００１３】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１４】
図２及び図３に示すように、ハウジング１１は、有底矩形筒状のハウジングベース１２と、ハウジングベース１２の開口部１２ａを覆う有底矩形筒状のハウジングカバー１３とを有する。
【００１５】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１６】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１７】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１８】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１９】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００２０】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２１】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２２】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２３】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２４】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２５】
図２に示すように、ハウジングカバー１３の底部３１を構成する前面３１ｃには、ハウジングカバー１３の前面３１ｃを覆うドア１４が開閉（回動）可能に設けられる。これにより、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２６】
ここで、ハウジングカバー１３とドア１４との取り付け構造について説明する。
図２に示すように、ドア１４は、ハウジングカバー１３の前面３１ｃの上部に取り付けられるヒンジ部３５によって開閉（回動）可能に設けられる。ヒンジ部３５は、ハウジングカバー１３の前面３１ｃの上部の左右方向外側にそれぞれ１つ、左右方向中央側に１つ、計３つ設けられる。
【００２７】
図８〜図１０に示すように各ヒンジ部３５は、ヒンジ本体３６と、ヒンジ本体３６を回動可能に支持するヒンジピン３７とを有する。ヒンジピン３７は、略柱状をなし、ハウジングカバー１３の前面３１ｃの上部に２つの挿通孔３８に挿通されて支持されるようになっている。このとき、図１０（ａ）及び図１１に示すように、ドア１４の挿通孔１４ａに、前記ヒンジピン３７が挿通されることで、ドア１４が回動可能となっている。
【００２８】
また、図８に示すようにハウジングカバー１３の前面３１ｃの上部の挿通孔３８の左右方向のいずれかに一方に、前面３１ｃよりも後方に埋没する凹部３１ｄが形成される。このため、凹部３１ｄから前記挿通孔３８が視認可能となっており、ヒンジピン３７は凹部３１ｄ側の挿通孔３８から挿通可能となっている。
【００２９】
また、図８〜図１０に示すように、凹部３１ｄには、凹部３１ｄを覆ってハウジングカバー１３の前面３１ｃと略面一となるピンカバー３９が設けられる。このピンカバー３９は、前記凹部３１ｄに対して着脱可能に構成される。このため、ドア１４を前記ヒンジ部３５を用いてハウジングカバー１３に対して回動可能に取り付けた状態で前記ピンカバー３９を凹部３１ｄに取り付けることで、凹部３１ｄ全体を覆って、内部のヒンジピン３７を隠すことが可能となっている。
【００３０】
さらに、図１０（ａ）（ｂ）に示すように、ピンカバー３９は、前記ヒンジピン３７の各挿通孔３８，１４ａからの抜け止めを行う抜け止め用突起３９ａが形成される。図１０（ｂ）に示すように、抜け止め用突起３９ａは、ピンカバー３９を凹部３１ｄに装着した状態で、ヒンジピン３７の長手方向における延長線上に配置されるため、ヒンジピン３７の抜け止めが確実に行われる。なお、本実施形態のピンカバー３９は、前記抜け止め用突起３９ａが左右方向に２つ設けられ、凹部３１ｄと挿通孔３８の位置関係が変わった場合であっても同一のピンカバー３９によってヒンジピン３７の抜け止めを行うことが可能となっている。
【００３１】
次に、本実施形態の分電盤の作用を説明する。
本実施形態の分電盤１０は、住宅内の所定の壁に取り付ける際、先ずハウジングベース１２を取り付けた後にハウジングカバー１３をハウジングベース１２に組み付けることとなる。ハウジングベース１２を壁に取り付ける際、ハウジングベース１２の矩形筒状部２２に形成された各突起２３ｔ，２４ｔによって左右方向に位置する住宅の壁や上方向に位置する天井と突起２３ｔ，２４ｔ分だけハウジングベース１２の側板部２３，２４が離間する。これによって、ハウジングカバー１３をハウジングベース１２に組み付ける際に、ハウジングカバー１３が天井や住宅の壁に干渉することが抑えられている。ハウジングカバー１３をハウジングベース１２に組み付ける際に、ハウジングカバー１３の開口面積がハウジングベース１２の開口面積よりも広く、ハウジングカバー１３の矩形筒状部３２によってハウジングベース１２の矩形筒状部２２の周囲を覆うこととなる。
【００３２】
そして、ハウジングカバー１３には前面３１ａ側からの着脱が可能なようにヒンジ部３５を用いてドア１４が回動可能に取り付けられる。このため、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００３３】
次に、本実施形態の効果を記載する。
（１）ドア１４は、ハウジングカバー１３の前面３１ｃ側から着脱可能に構成されるため、後面や上面からの取り外しと比べて、天井や壁との干渉が少ないため、作業性を向上させることができる。
【００３４】
（２）ハウジングカバー１３の前面３１ｃには、ハウジングカバー１３の回動中心の回動ピンであるヒンジピン３７を視認不能とするピンカバー３９が着脱可能に設けられる。ピンカバー３９には、ヒンジピン３７の抜け止めを行う抜け止め用突起３９ａが形成される。これによって、ヒンジピン３７の抜け止めを行いつつ、ヒンジピン３７を居住者等から視認不能とすることができ、外観向上に寄与できる。また、抜け止め用突起３９ａがピンカバー３９と一体形成されるため、部品点数の増加を抑えることができる。
【００３５】
なお、上記実施形態は、以下のように変更してもよい。
・上記実施形態では、ピンカバー３９に抜け止め用突起３９ａを一体形成する構成としたが、これに限らず別体であってもよい。
【００３６】
・上記実施形態では、ピンカバー３９の左右方向両側に抜け止め用突起３９ａが１つずつ（計２つ）設ける構成としたが、これに限らない。例えば凹部３１ｄと挿通孔３８との位置関係に応じて抜け止め用突起３９ａは左右方向の一方にのみ設ける構成を採用してもよい。また、左右方向に長い１つの抜け止め用突起３９ａによって凹部３１ｄと挿通孔３８の位置関係が変わった場合であっても同一のピンカバー３９によってヒンジピン３７の抜け止めを行ってもよい。
【００３７】
・上記実施形態では、ハウジングベース１２に突起２３ｔ，２４ｔを設ける構成としたが省略した構成を採用してもよい。この場合、ハウジングカバー１３の凹部３３ｔ，３４ｔは省略してもよい。
【００３８】
・上記実施形態では、一方の長尺側板部２３と２つの短尺側板部２４とのそれぞれに２つの突起２３ｔ，２４ｔを設けたが、その数は任意に変更してもよい。この際、ハウジングカバー１３の凹部３３ｔ，３４ｔは、前記突起２３ｔ，２４ｔと同数であることが好ましい。
【００３９】
・上記実施形態では、ハウジングカバー１３に突起２３ｔ，２４ｔとの干渉を避ける凹部３３ｔ，３４ｔを形成したが、例えば予めハウジングカバー１３と干渉しない位置に突起２３ｔ，２４ｔが形成される場合には凹部３３ｔ，３４ｔを省略してもよい。
【００４０】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００４１】
・上記実施形態並びに上記変形例は適宜組み合わせてもよい。
【符号の説明】
【００４２】
１０…分電盤、１１…ハウジング、１２…筐体を構成するハウジングベース、１２ａ…開口部、１３…筐体を構成するハウジングカバー（カバー）、１４…ドア、２２…矩形筒状部（筒状部）、２３…長尺側板部（側板部）、２３ｔ…突起、２４…短尺側板部（側板部）、２４ｔ…突起、３２…矩形筒状部（筒状部）、３３ｔ，３４ｔ…凹部、３５…ヒンジ部、５２…主幹ブレーカ（ブレーカ）、５３…分岐ブレーカ（ブレーカ）。
【図１】
2015201975.tif 000003
【図２】
2015201975.tif 000004
【図３】
2015201975.tif 000005
【図４】
2015201975.tif 000006
【図５】
2015201975.tif 000007
【図６】
2015201975.tif 000008
【図７】
2015201975.tif 000009
【図８】
2015201975.tif 000010
【図９】
2015201975.tif 000011
【図１０】
2015201975.tif 000012
【図１１】
2015201975.tif 000013